(57)【特許請求の範囲】
【請求項１】
遊技機の前面に設けられたデザインパネルの背面側に配設され、該デザインパネルと該デザインパネルの少なくとも左右一側に設けられたサイドパネルとを照らす遊技機用のパネル照明ユニットであって、
前記デザインパネルに対向するように設けられ、上端面または下端面を介して入射された光を板表面から該デザインパネルに向けて出射する略平板状の導光板と、
該導光板の上側または下側に配設され、該導光板の上端面または下端面に沿って並設された複数の光源を具備する照明装置と
を備え、
前記導光板は、
その少なくとも左右一側縁から前記サイドパネルの背面側に突成され、上端面または下端面を介して前記照明装置から入射されて側方に導かれた光を該サイドパネルに向けて出射する傾斜端面が形成された側方導光部を備えていることを特徴とする遊技機用のパネル照明ユニット。
【請求項２】
導光板の側方導光部が、該導光板の左右側縁の、該導光板に入射する光を発する照明装置が配設された上側寄り又は下側寄りとなる位置に形成されていることを特徴とする請求項１に記載の遊技機用のパネル照明ユニット。
【請求項３】
導光板の側方導光部は、その傾斜端面に光拡散加工が施されていることを特徴とする請求項１又は請求項２に記載の遊技機用のパネル照明ユニット。
【発明の詳細な説明】
【技術分野】
【０００１】
本発明は、遊技機の前面に設けられたデザインパネルの背面側に配設され、該デザインパネルを照らす遊技機用のパネル照明ユニットに関する。
【背景技術】
【０００２】
スロットマシン等の遊技機にあっては、その前面にデザインパネルを備えた構成が知られている。一般的なスロットマシンには、前扉の前面に、機種名のロゴやキャラクタ等の意匠が描かれたデザインパネルが配設されている。デザインパネルは、前記意匠が描かれた光透過性の平板からなり、背面側に配設された照明装置（光源）によって照らされることにより、該意匠が明るく光って視認されるものである。
【０００３】
さらに、スロットマシンの前扉には、デザインパネルの左右両側にサイドパネルが夫々設けられることがある。このサイドパネルは、光透過性の板体からなり、その背面側に配設された照明装置（光源）により照らされて、明るく光る。
【０００４】
こうしたデザインパネルとサイドパネルとを備えた構成は、例えば特許文献１，２のように、該デザインパネル用の照明装置（光源）と該サイドパネル用の照明装置（光源）とが別々に配設されている。
【先行技術文献】
【特許文献】
【０００５】
【特許文献１】特開２００５−２１４４４号公報（段落番号「００５７」、「００５９」参照）
【特許文献２】特開２００６−９４９４５号公報（段落番号「００２３」、「００２７」参照）
【発明の概要】
【発明が解決しようとする課題】
【０００６】
ところで、上述した特許文献１，２に記載された従来構成は、デザインパネル用の照明装置とサイドパネル用の照明装置とがそれぞれ設けられることから、これらを設置するための部品や設置スペース等がそれぞれ必要である。さらに、製造工程では、デザインパネル用とサイドパネル用との両方の照明装置を取り付ける作業がそれぞれ必要である。このようにデザインパネル用と別にサイドパネル用の照明装置を設置することによって、該サイドパネル用の照明装置自体や設置用の部品などに費用（部品代）がかかると共に、製造工程でサイドパネル用の照明装置を設置する作業を要し、この作業に伴う費用がかかる。さらにまた、サイドパネル用の照明装置を設置するスペースが必要であることから、該スペースによって、デザインパネル用の照明装置は、その構造や設置位置などに制約をうける。
【０００７】
本発明は、かかる現状に鑑みてなされたものであり、サイドパネルにかかる費用を低減し得ると共に、デザインパネルの受ける制約を低減し得る遊技機用のパネル照明ユニットを提案するものである。
【課題を解決するための手段】
【０００８】
本発明は、遊技機の前面に設けられたデザインパネルの背面側に配設され、該デザインパネルと該デザインパネルの少なくとも左右一側に設けられたサイドパネルとを照らす遊技機用のパネル照明ユニットであって、前記デザインパネルに対向するように設けられ、上端面または下端面を介して入射された光を板表面から該デザインパネルに向けて出射する略平板状の導光板と、該導光板の上側または下側に配設され、該導光板の上端面または下端面に沿って並設された複数の光源を具備する照明装置とを備え、前記導光板は、その少なくとも左右一側縁から前記サイドパネルの背面側に突成され、上端面または下端面を介して前記照明装置から入射されて側方に導かれた光を該サイドパネルに向けて出射する傾斜端面が形成された側方導光部を備えていることを特徴とする遊技機用のパネル照明ユニットである。
【０００９】
かかる構成によれば、導光板の板表面から出射する光によってデザインパネルを照らすことができると共に、該導光板の側方導光部の傾斜端面から出射する光によってサイドパネルを照らすことができる。すなわち、デザインパネルとサイドパネルとの光源を、本発明の構成によって共通化できる。これにより、上述した従来構成（特許文献１，２）に比して、取り付けに要する部品点数を少なくでき、これに伴う部品コストを低減することができる。さらに、製造工程にあって、本発明のパネル照明ユニットの取付作業を、前記従来構成に比して低減できることから、該製造工程に要するコストを削減することができる。
【００１０】
さらに、本発明の構成によれば、上述した従来構成で必要なサイドパネル用の独立光源（照明装置）を廃止でき、該独立光源用のスペースを設ける必要が無い。これにより、本発明のパネル照明ユニットを設置するスペースを比較的広く確保できることから、その構造設計の自由度や設置レイアウトの自由度が向上するという優れた利点もある。
【００１１】
また、上述した本発明の遊技機用のパネル照明ユニットにあって、導光板の側方導光部が、該導光板の左右側縁の、該導光板に入射する光を発する照明装置が配設された上側寄り又は下側寄りとなる位置に形成されている構成が提案される。
【００１２】
ここで、導光板では、光を入射する上端面または下端面から離れるに従って板表面から出射する光量が低下する傾向にある。すなわち、上端面から光を入射する構成の場合には、下端面に近づくに従って前記光量が低下し、下端面から光を入射する構成の場合には、上端面に近づくに従って前記光量が低下する。
本構成は、こうした導光板の特性を考慮して、照明装置が配設された上側寄り又は下側寄りの位置に側方導光部を設けたものであり、該側方導光部の傾斜端面から出射する光量を十分に確保できる。これにより、サイドパネルを照らすという所望の機能が十分に発揮できる。
【００１３】
また、上述した本発明の遊技機用のパネル照明ユニットにあって、導光板の側方導光部は、その傾斜端面に光拡散加工が施されている構成が提案される。
【００１４】
かかる構成にあっては、光拡散加工によって傾斜端面に微細な凹凸が形成されることから、側方導光部に導かれた光が該傾斜端面を介して出射する際に、前記凹凸により放射状に拡散される。これにより、サイドパネルを略全体的に照らすことができる。ここで、光拡散加工としては、前記のように傾斜端面に微細な凹凸を形成するものであり、所謂シボ加工や梨地加工などを適用でき、本発明ではシボ加工が好適に用いられる。
【発明の効果】
【００１５】
本発明の遊技機用のパネル照明ユニットは、上述したように、デザインパネルを照らす導光板が、その側縁からサイドパネルの背面側に突成する側方導光部を備え、該側方導光部に形成された傾斜端面から出射される光によって該サイドパネルを照らすようにしたものであるから、デザインパネルとサイドパネルとの光源を共通化できる。したがって、本発明の構成によれば、上述した従来構成に比して、設置に要する部品コストと取付作業のコストとを削減できる。さらに、サイドパネル用の独立光源（照明装置）を設置するスペースを必要としないことから、本発明の構成では、その構造設計の自由度や設置レイアウトの自由度を向上できる。
【図面の簡単な説明】
【００１６】
【図１】スロットマシン１の正面図である。
【図２】前扉３の斜視図である。
【図３】前扉３のフレーム６に、デザインパネル１４およびサイドパネル１５，１５を配設した状態を示す斜視図である。
【図４】前扉３のフレーム６から、デザインパネル１４およびサイドパネル１５，１５を分離して示す斜視図である。
【図５】前扉３のフレーム６から、パネル照明ユニット５１を分離して示す斜視図である。
【図６】パネル照明ユニット５１の正面図である。
【図７】パネル照明ユニット５１の分解斜視図である。
【図８】導光板５３の正面図である。
【図９】導光板５３の左側面図である。
【図１０】前扉３のフレーム６に、パネル照明ユニット５１およびサイドパネル１５，１５を取り付けた状態を示す正面図である。
【図１１】取付ベース体１２にパネル照明ユニット５１を取り付けた状態における、反射面部１２ｂと側方導光部７３とを示す拡大斜視図である。
【発明を実施するための形態】
【００１７】
本発明にかかる実施例を、添付図面を用いて説明する。
図１は、スロットマシン１の正面図である。スロットマシン１は、リール等を収容した筐体（図示せず）と、該筐体の前面開口部を遮蔽する前扉３とを備え、ヒンジ部材（図示せず）によって該前扉３が該筐体に開放可能に枢支されている。
【００１８】
図１，２のように、前扉３は、その上部に、演出ランプやスピーカなどを組み入れて一体化された上部パネルユニット８が取り付けられている。この上部パネルユニット８の下部中央には、上記筐体内に配設されたリールを視認可能となる視認窓１０が配設される。また、前扉３の前面には、前記上部パネルユニット８の直下に、各種操作スイッチを備えた操作部１１が配設される。さらに、前扉３の前面にあって、前記操作部１１の直下には、本発明にかかるデザインパネル１４が配設され、該デザインパネル１４の直下には、メダルを受け入れる受皿部材１６が配設される。ここで、デザインパネル１４の左右両側には、左右側方に夫々向いたサイドパネル１５，１５が配設される。
【００１９】
前扉３は、その主体となる前扉本体６に、上記した各部材が取り付けられてなるものである。図３，４のように、前扉本体６の、上記操作部１１を構成する各部材が取り付けられる操作ベース部７と上記受皿部材１６が取り付けられる受皿ベース部９との間に、上記したデザインパネル１４およびサイドパネル１５，１５が配設される。ここで、デザインパネル１４は、正面視で略横長矩形状のパネル支持枠２１により支持されて取り付けられる。パネル支持枠２１は、その上部の左右両側、下部の左右両側、および下部の略中央に、背方へ突出するボス部２３を夫々備え、各ボス部２３が、夫々に対向するように前扉本体６に設けられた固結部（図示せず）に、ネジ部材（図示せず）により締結されて固定される。そして、パネル支持枠２１は、その上部が前記操作ベース部７の下端縁に当接するように取り付けられると共に、その下部中央部分から背方へ突成された下部支持部２２が、前記受皿ベース部９の直上位置に取り付けられる。こうして取り付けられるパネル支持枠２１の左右両側には、該パネル支持枠２１と操作ベース部７と受皿ベース部９とにより画成される開口を閉塞するように、サイドパネル１５，１５が夫々取り付けられる。サイドパネル１５，１５は、その上部と下部とに締結孔（図示せず）を備え、該締結孔と前扉本体６に設けられたネジ孔（図示せず）とをネジ部材（図示せず）により締結することにより取り付けられる。尚、サイドパネル１５，１５は、透光性を有する所定色の樹脂製のものである。
【００２０】
前扉本体６の、上記のパネル支持枠２１とサイドパネル１５，１５とにより囲まれる内側部位に、後述するパネル照明ユニット５１を取り付ける取付ベース体１２が固定されている。この取付ベース体１２は、前扉本体６に、ネジ部材（図示せず）等により固結されて保持される。そして、パネル支持枠２１とサイドパネル１５，１５とにより囲まれた内部空域を閉塞するように、該パネル支持枠２１に上記デザインパネル１４が装着される。このデザインパネル１４は、パネル支持枠２１の周囲に形成された溝や爪等（図示せず）に嵌め合わされて、該パネル支持枠２１に装着される。尚、デザインパネル１４は、透光性を有する略平板状の樹脂製のものであり、その表面に、所定の意匠を構成する機種名やキャラクタ等が描かれている。
【００２１】
前扉本体６に取り付けられた取付ベース体１２には、図４，５のように、パネル照明ユニット５１が取り付けられる。取付ベース体１２の左右両側縁には、該取付ベース体１２に取り付けられたパネル照明ユニット５１の左右側方に、反射面部１２ａ，１２ｂが前方に突成されている。左側縁の反射面部１２ａは、前方に向かって左側へ上り傾斜し、右側縁の反射面部１２ｂは、図１１のように、前方に向かって右側へ上り傾斜するように形成されている。左右の反射面部１２ａ，１２ｂは、後述する導光板５３の側方導光部７２，７３から左右側方へ漏れた光を反射してサイドパネル１５，１５の背方へ導くためのものであり、光反射性の高い白色で形成されている。
【００２２】
パネル照明ユニット５１は、図６，７のように、略長方形状のベース板５２と、該ベース板５２に取り付けられた導光板５３と、該導光板５３の下端縁に沿って該ベース板５２に取り付けられた横長の照明装置５４と、該ベース板５２の裏面に取り付けられる下部パネル照明基板３５とから構成されている。ここで、ベース板５２は、左右横方向に長い略長方形状をなし、その左右両端が、前扉本体６に取り付けられたサイドパネル１５，１５に近接するように、取付ベース体１２に固定される（図１０参照）。ベース板５２の四隅には締結孔６１が夫々設けられ、取付ベース体１２には各締結孔６１に夫々対向するネジ孔（図示せず）が設けられており、各締結孔６１と該ネジ孔とをネジ部材６２により締結することによって、該ベース板５２が取付ベース体１２に固結される。このベース板５２には、正面視左端部に、導光板５３を締結するためのネジ孔６４が設けられ、正面視右端部に、該導光板５３を支持するための支持爪部６３ａ，６３ｂが突成されている。ベース板５２は、その下縁に沿って下方へ延成された突出縁部６０を備え、該突出縁部６０に前記した照明装置５４が固定される。そして、ベース板５２の裏面には、この照明装置５４を発光制御する下部パネル照明基板３５が配設されている。さらに、ベース板５２の表面には、前記締結孔６１とネジ孔６４と支持爪部６３ａ，６３ｂと突出縁部６０とを除く略全域に、反射シート５５が貼付されている。この反射シート５５は、光を反射する白系色のシートである。
【００２３】
導光板５３は、左右横方向に長い略長方形状をなす主板部７１と、該主板部７１の左右両側縁から夫々突出した側方導光部７２，７３とから構成されている（図８参照）。主板部７１の右側縁の側方導光部７３は、ベース板５２の右端部に設けられた支持爪部６３ａ，６３ｂによって上下方向から支持される。一方、左側縁の側方導光部７２には、ベース板５２のネジ孔６４とネジ部材６２により締結される締結孔７４が形成されている。この締結孔７４は、右側縁の側方導光部７３を支持爪部６３ａ，６３ｂにより支持された状態で、ベース板５２のネジ孔６４と対向する位置に形成される。このように導光板５３は、ベース板５２の表面側に上記反射シート５５を介して固定され、主板部７１の裏面の略全域が該反射シート５５に密接する。
【００２４】
照明装置５４は、左右横方向に細長い形状をなし、その上端面が導光板５３の主板部７１の下端面７７に対向するように、ベース板５２に固定される。照明装置５４は、その横方向長さが前記主板部７１の下端面の長さと略等しく、該主板部７１の下端面の略全体を隠すように配設される。こうした照明装置５４は、前記突出縁部６０に締結されるフレーム（図示せず）と、該フレームの内部に配設された複数のＬＥＤ（図示せず）とを備え、該フレームを表裏方向に貫通する締結孔６７と突出縁部６０に設けられたネジ孔（図示せず）とをネジ部材６９により締結することによって、該突出縁部６０に固定される。ここで、フレームは、上方開口する断面略Ｕ字形をなし、その内部に、複数のＬＥＤが左右横方向に亘って所定間隔を置いて均等に配設されている。そして、フレームは、不透光性の金属材から形成されていることから、各ＬＥＤから発せられた光は、主に上方向に向かい、導光板５３の主板部７１の下端面７７を介して該主板部７１内に入射する。尚、照明装置５４の各ＬＥＤは、上記した下部パネル照明基板３５に接続され、該下部パネル照明基板３５により発光制御される。
【００２５】
次に、上記した導光板５３について詳述する。
導光板５３は、図８のように、主板部７１と左右の側方導光部７２，７３とが、透光性の高いアクリル系樹脂材により一体形成されたものである。略長方形状の主板部７１は、図９のように、その下端から上端に向かって板厚が序々に減少する形状をなす。こうした板厚形状とすることによって、光源（照明装置５４）から離れるに従って弱くなる光を収束し、板表面７５の上部から出射する光の弱化を抑制する。
【００２６】
主板部７１は、その裏面側に、所定角度で傾斜する複数の反射面を備えた反射パターン部（図示せず）が形成されている。この反射パターン部は、その反射面に主板部７１の下端面７７から入射した光が当たると、前方へ屈曲して板表面７５から出射するように、各反射面の角度、サイズ、位置などが設定されてなる。また、主板部７１の板表面７５には、光拡散加工が施されており、微細な凹凸が表面全域に略均等に形成されている。こうした板表面７５によって、前記反射パターン部で屈曲された光が、拡散されて出射される。尚、光拡散加工は、微細な凹凸を形成する所謂シボ加工であり、従来から用いられる加工方法を適用できることから、その詳細は省略する。
【００２７】
左右の側方導光部７２，７３は、図８のように、主板部７１の左右両側縁の下側寄り位置に夫々設けられており、左右の高さ位置を等しく、かつ高さ寸法と横幅寸法とが左右で略等しくなるように夫々形成されている。ここで、側方導光部７２，７３が下側寄り位置に設けられることにより、主板部７１の下端面７７から入射した光が、該側方導光部７２，７３に至るまでの距離を短くできる。これにより、主板部７１から側方導光部７２，７３に入る光の弱化が抑えられる。尚、側方導光部７２，７３には、上記した反射パターン部が形成されていない。そのため、側方導光部７２，７３に入った光は、主に後述の傾斜端面８１〜８５から出射される。
【００２８】
主板部７１の左側縁に設けられた側方導光部７２は、上下方向に長い長方形状をなし、その略中央部に上記した締結孔７４が開口形成されている。そして、側方導光部７２の上端面８１、左側端面８２、および下端面８３とが、所定角度で傾斜する傾斜端面８１，８２，８３となっている。上端の傾斜端面８１は、背方に向かって上り傾斜し、左側の傾斜端面８２は、背方に向かって左側へ下り傾斜し、下端の傾斜端面８３は、背方に向かって下り傾斜するように形成される。これら各傾斜端面８１〜８３には、主板部７１の板表面７５と同様、光拡散加工が施されており、微細な凹凸が表面全域に略均等に形成されている。そのため、傾斜端面８１〜８３から出射される光は、拡散されて出射される。こうした側方導光部７２は、導光板５３がベース板５２を介して取付ベース体１２に配設された状態で、左側のサイドパネル１５に近接配置され、各傾斜端面８１，８２，８３が該サイドパネル１５の内面に夫々臨む。
【００２９】
主板部７１の右側縁に設けられた側方導光部７３は、上記したベース板５２の支持爪部６３ａ，６３ｂ間に嵌入され、該支持爪部６３ａ，６３ｂによって上下から挟持される。そして、側方導光部７３には、支持爪部６３ａ，６３ｂにより支持される部位よりも右側に、斜め下方へ湾曲する傾斜端面８４，８５が上下に並設されている。ここで、傾斜端面８４，８５は、背方に向かって上り傾斜するように夫々形成される。傾斜端面８４，８５には、主板部７１の板表面７５と同様、光拡散加工が施されており、微細な凹凸が表面全域に略均等に形成されている。そのため、傾斜端面８４，８５から出射される光は、拡散されて出射される。こうした側方導光部７３は、導光板５３がベース板５２を介して取付ベース体１２に配設された状態で、右側のサイドパネル１５に近接配置され、各傾斜端面８４，８５が該サイドパネル１５の内面に夫々臨む。
【００３０】
導光板５３は、上述したように、ベース板５２に、反射シート５５を介して取り付けられる。さらに、ベース板５２に照明装置５４および下部パネル照明基板３５が取り付けられ、パネル照明ユニット５１が構成される（図７参照）。このパネル照明ユニット５１が、前扉本体６に取り付けられた取付ベース体１２に装着される（図５参照）。こうしてパネル照明ユニット５１を装着し、さらに、前扉本体６に、パネル支持枠２１とサイドパネル１５，１５とを取り付けると共に、該パネル支持枠２１にデザインパネル１４が装着される。この状態で、導光板５３の主板部７１が、パネル支持枠２１に取り付けられたデザインパネル１４の背方に位置し、該主板部７１の板表面７５が、該デザインパネル１４の背面に対向する。そして、導光板５３の左右の側方導光部７２，７３が、左右のサイドパネル１５，１５に夫々近接し、各側方導光部７２，７３の傾斜端面８１〜８５が該サイドパネル１５，１５の内面に夫々臨む（図１０参照）。さらに、側方導光部７２，７３の左右側方には、サイドパネル１５，１５の直ぐ内側に、上述した取付ベース体１２の反射面部１２ａ，１２ｂが夫々設けられている（図１１参照）。
【００３１】
このようにパネル照明ユニット５１、サイドパネル１５，１５、パネル支持枠２１、およびデザインパネル１４が取り付けられた状態で、該パネル照明ユニット５１の照明装置５４のＬＥＤを発光させると、該ＬＥＤから発せられた光が、導光板５３の主板部７１内にその下端面７７から入射され、主板部７１に設けられた反射パターン部の反射面で屈曲されて板表面７５から出射される。さらに、主板部７１の裏面側に向かった光は、反射シート５５により反射されて、板表面７５から出射される。このように主板部７１の板表面７５から出射された光は、該板表面７５と対向するデザインパネル１４を背面側から照らす。これによって、デザインパネル１４に描かれた意匠が明るく光る。一方、主板部７１内に入射された光の一部は、反射パターン部や反射シート５５により反射されて、左右の側方導光部７２，７３に導かれる。そして、左側の側方導光部７２に入った光は、傾斜端面８１〜８３から出射して、左側のサイドパネル１５を背面側から照らす。同様に、右側の側方導光部７３に入った光は、傾斜端面８４，８５から出射して、右側のサイドパネル１５を照らす。ここで、各傾斜端面８１〜８５は、上述したように光拡散加工により微細な凹凸が形成されていることから、該傾斜端面８１〜８５から出射する光が拡散される。これによって、左右のサイドパネル１５，１５を略全体的に照らすことができる。さらに、側方導光部７２，７３の各傾斜端面８１〜８５以外から左右側方へ漏れた光は、取付ベース体１２の反射面部１２ａ，１２ｂにより反射されて、左右のサイドパネル１５，１５の背面に導かれる。こうして照らされた左右のサイドパネル１５，１５は、明るく光る。
【００３２】
上述した本実施例のパネル照明ユニット５１にあっては、その照明装置５４のＬＥＤを発光させることによってデザインパネル１４とサイドパネル１５，１５とを照らすことができ、該デザインパネル１４とサイドパネル１５，１５の光源（照明装置５４）を共通化させたものである。かかる構成によれば、上述した従来構成のようにサイドパネル用の独立光源（照明装置）を配設する必要が無いことから、該従来構成に比して、光源の取り付けに要する部品点数や部品コストを低減できる。そして、これに伴って取付作業の作業工程も少なくできることから、スロットマシン１の製造工程にかかるコストを削減することもできる。また、サイドパネル用の独立光源を設置するためのスペースが不要であることから、本実施例のパネル照明ユニット５１を設置するスペースを広く設定でき、構造設計の自由度や設置レイアウトの自由度を向上できる。
【００３３】
さらに、本実施例のパネル照明ユニット５１にあっては、左右の側方導光部７２，７３が主板部７１の下側寄り位置に設けられたものであることから、上述したように、該側方導光部７２，７３の傾斜端面８１〜８５から出射する光の弱化を抑制でき、サイドパネル１５，１５を所望の光量で照らすことができる。また、側方導光部７２，７３の傾斜端面８１〜８５は、光拡散加工されていることから、出射する光を放射状に拡散でき、サイドパネル１５，１５を略全体的に照らすことができる。
【００３４】
このように本実施例の構成によれば、導光板５３の板表面７５から出射される光によって、デザインパネル１４を照らして、該デザインパネル１４に描かれた意匠を明るく光らせるという所望の機能を発揮できると共に、該導光板５３の側方導光部７２，７３から出射される光によって、サイドパネル１５，１５を照らして光らせるという所望の機能を十分に発揮できる。
【００３５】
尚、本実施例にあって、スロットマシン１が本発明にかかる遊技機である。また、導光板５３に入射する光を発する照明装置５４に設けられた複数のＬＥＤにより、本発明にかかる光源が構成されている。
【００３６】
上述した本実施例の構成にあっては、照明装置５４を導光板５３の下端面に当接するように配設した構成であるが、該照明装置を導光板の上端面に当接するように配設した構成としても良い。この場合には、照明装置が、下向きに配設したＬＥＤを複数備えるものとし、導光板の主板部が、上端から下端に向かって背方に下方傾斜する形状とする。そして、主板部の左右側縁の上側寄り位置に、側方導光部を夫々備えた構成とする。こうした構成にあっても、上述した実施例と同様の作用効果を奏する。
【００３７】
本発明にあっては、上述した実施例に限定されるものではなく、上述の実施例以外の構成についても本発明の趣旨の範囲内で適宜変更して実施可能である。
【符号の説明】
【００３８】
１  スロットマシン（遊技機）
１４  デザインパネル
１５  サイドパネル
５１  パネル照明ユニット
５３  導光板
５４  照明装置
７２，７３  側方導光部
７５  （導光板の）板表面
７７  （導光板の）下端面
８１〜８５  傾斜端面
【要約】
【課題】デザインパネルとサイドパネルとを照らす光源を共通化し、該サイドパネルを光らせるために要する費用を低減すると共に、該デザインパネルの受ける制約を低減し得る遊技機用のパネル照明ユニットを提案する。
【解決手段】上端面または下端面７７から入射された光を板表面７５から出射することによりデザインパネルを照らす導光板５３を備え、該導光板５３の左右側端に、サイドパネルの背面側に突成された側方導光部７２，７３が設けられ、該側方導光部７２，７３に形成された傾斜端面８１〜８５から出射する光により該サイドパネルを照らすようにした。
【選択図】図６【図１】
0005792874.tif 000002
【図２】
0005792874.tif 000003
【図３】
0005792874.tif 000004
【図４】
0005792874.tif 000005
【図５】
0005792874.tif 000006
【図６】
0005792874.tif 000007
【図７】
0005792874.tif 000008
【図８】
0005792874.tif 000009
【図９】
0005792874.tif 000010
【図１０】
0005792874.tif 000011
【図１１】
0005792874.tif 000012